(57)【特許請求の範囲】
【請求項１】
内部に端子を収容した一方側コネクタハウジングと、フラットケーブルを保持し前記一方側コネクタハウジングと嵌合可能な相手側コネクタハウジングとを備えたフラットケーブルの接続構造であって、
前記相手側コネクタハウジングは、
前記フラットケーブルの先端を前記一方側コネクタハウジングとの嵌合方向に突出させた状態で保持可能なインナ部材と、
前記インナ部材に対して前記嵌合方向に相対的にスライド可能に組み付けられ同インナ部材に保持された前記フラットケーブルの先端を内部に収容可能なアウタ部材と、
前記インナ部材に前記嵌合方向に沿って延びるように設けられ、前記一方側コネクタハウジングとの嵌合時に前記一方側コネクタハウジングに設けられた係合部に当接して前記インナ部材の前記嵌合方向への前進を規制するとともに弾性的に傾動して前記係合部を乗り越え可能な前止まり片と、
前記前止まり片に設けられ、前記アウタ部材に設けた係止部が前記嵌合方向の後側から当接することで前記インナ部材が前記アウタ部材に対して前記嵌合方向の後側に相対的に移動することを規制するとともに、前記前止まり片が前記係合部に当接して所定以上の傾動量となったときに前記係止部による当接が解除される位置決め部と、
前記アウタ部材に設けられ、前記係止部による前記位置決め部に対する当接が解除された後に前記インナ部材に設けられた後止め部に前記嵌合方向の後側から当接することで前記インナ部材を前記アウタ部材と共に前記嵌合方向に前進させる後止め当接部と、
前記アウタ部材に設けられ、同アウタ部材が前記一方側コネクタハウジングとの嵌合位置に至ったときに前記一方側コネクタハウジングと係合して前記両コネクタハウジングを嵌合状態に保持するロック部と、
前記アウタ部材に設けられ、前記前止まり片が前記係合部に当接して所定以上の傾動量となる前には前記インナ部材に設けられた押圧部組付溝内に収容されることで前記インナ部材が前記アウタ部材に対して前記嵌合方向の前側に相対的に移動することを規制するとともに、同アウタ部材が前記嵌合位置に至ったときに前記インナ部材に保持された前記フラットケーブルの先端を前記一方側コネクタハウジングの端子との間に挟み付ける位置に進出する押圧部と、
を備えるフラットケーブルの接続構造。
【請求項２】
前記インナ部材には、前記フラットケーブルの抜止めを行う抜止め部と、前記フラットケーブルを挟んで前記抜止め部とは反対側に設けられて前記フラットケーブルを屈曲させて前記抜止め部側に押さえつけるケーブル押え部と、を備えることを特徴とする請求項１に記載のフラットケーブルの接続構造。
【発明の詳細な説明】
【０００１】
【発明の属する技術分野】
本発明は、フラットケーブルの接続構造に関する。
【０００２】
【従来の技術】
図２３〜図２８には、従来のフラットケーブル用コネクタ１００を示した。このフラットケーブル用コネクタ１００には、内部に端子１０１を収容するコネクタハウジング１０２と、このコネクタハウジング１０２に組み付けられる保持部材１０３とが備えられている（図２３を参照）。保持部材１０３の中央には、押圧部１０３Ａが突設されている。
保持部材１０３をコネクタハウジング１０２の組付開口１０４に浅く組み付けておき（図２４を参照）、フラットケーブル１０５を組付開口１０４に押し込んだ後、保持部材１０３をさらに深く押し入れると、保持部材１０３の押圧部１０３Ａがフラットケーブル１０５を端子１０１側に押し付け、フラットケーブル１０５の先端と端子１０１とが接触した状態となっている（図２５、図２８を参照）。
【０００３】
【発明が解決しようとする課題】
ところが、フラットケーブル１０５は単体で差込みがなされるため、フラットケーブル用コネクタ１００の組み付けが完了するまでは、フラットケーブル１０５の先端は露出した状態となっている。このため、組み付け前にフラットケーブル１０５の先端を折り曲げて変形させてしまう事態が考慮される。
【０００４】
本発明は、上記事情に鑑みてなされたもので、その目的は、コネクタの組み付け前のフラットケーブルの変形を防止することができるフラットケーブルの接続構造を提供するところにある。
【０００５】
【課題を解決するための手段】
上記の課題を解決するための請求項１の発明は、内部に端子を収容した一方側コネクタハウジングと、フラットケーブルを保持し前記一方側コネクタハウジングと嵌合可能な相手側コネクタハウジングとを備えたフラットケーブルの接続構造であって、前記相手側コネクタハウジングは、前記フラットケーブルの先端を前記一方側コネクタハウジングとの嵌合方向に突出させた状態で保持可能なインナ部材と、前記インナ部材に対して前記嵌合方向に相対的にスライド可能に組み付けられ同インナ部材に保持された前記フラットケーブルの先端を内部に収容可能なアウタ部材と、前記インナ部材に前記嵌合方向に沿って延びるように設けられ、前記一方側コネクタハウジングとの嵌合時に前記一方側コネクタハウジングに設けられた係合部に当接して前記インナ部材の前記嵌合方向への前進を規制するとともに弾性的に傾動して前記係合部を乗り越え可能な前止まり片と、前記前止まり片に設けられ、前記アウタ部材に設けた係止部が前記嵌合方向の後側から当接することで前記インナ部材が前記アウタ部材に対して前記嵌合方向の後側に相対的に移動することを規制するとともに、前記前止まり片が前記係合部に当接して所定以上の傾動量となったときに前記係止部による当接が解除される位置決め部と、前記アウタ部材に設けられ、前記係止部による前記位置決め部に対する当接が解除された後に前記インナ部材に設けられた後止め部に前記嵌合方向の後側から当接することで前記インナ部材を前記アウタ部材と共に前記嵌合方向に前進させる後止め当接部と、前記アウタ部材に設けられ、同アウタ部材が前記一方側コネクタハウジングとの嵌合位置に至ったときに前記一方側コネクタハウジングと係合して前記両コネクタハウジングを嵌合状態に保持するロック部と、前記アウタ部材に設けられ、前記前止まり片が前記係合部に当接して所定以上の傾動量となる前には前記インナ部材に設けられた押圧部組付溝内に収容されることで前記インナ部材が前記アウタ部材に対して前記嵌合方向の前側に相対的に移動することを規制するとともに、同アウタ部材が前記嵌合位置に至ったときに前記インナ部材に保持された前記フラットケーブルの先端を前記一方側コネクタハウジングの端子との間に挟み付ける位置に進出する押圧部と、を備えることを特徴とする。
【０００６】
請求項２の発明は、請求項１に記載のものであって、前記インナ部材には、前記フラットケーブルの抜止めを行う抜止め部と、前記フラットケーブルを挟んで前記抜止め部とは反対側に設けられて前記フラットケーブルを屈曲させて前記抜止め部側に押さえつけるケーブル押え部と、を備えることを特徴とする。
【０００８】
【発明の作用および効果】
請求項１の発明によれば、相手側コネクタハウジングには、フラットケーブルの先端を一方側コネクタハウジングとの嵌合方向に突出させた状態で保持可能なインナ部材と、このインナ部材に対して嵌合方向に相対的にスライド可能に組み付けられインナ部材に保持されたフラットケーブルの先端を内部に収容可能なアウタ部材とが備えられている。これにより、フラットケーブルの先端が相手側コネクタハウジングの内部に収容されているため、コネクタハウジングの嵌合前にフラットケーブルの先端が変形してしまうことが防止される。
そして、インナ部材とアウタ部材とを組み付け、両コネクタハウジングの嵌合時に、インナ部材に設けられた前止まり片を一方側コネクタハウジングの係合部に当接させてインナ部材の嵌合方行への前進を規制し、前止まり片が係合部に当接して所定以上の傾動量となったときに係止部による当接が解除されてアウタ部材のみの前進を許容する。そして、アウタ部材の後止め当接部がインナ部材の後止め部に嵌合方向の後側から当接することでインナ部材とアウタ部材とが連れだって前進可能となり、前進操作するときに前止まり片が弾性的に傾動して係合部を乗り越える。アウタ部材が一方側コネクタハウジングとの嵌合位置に至ったときに、ロック部が一方側コネクタハウジングと係合して両コネクタハウジングが嵌合状態にロックされ、前止まり片が係合部に当接して所定以上の傾動量となる前にはインナ部材の押圧部組付溝内に収容されていた押圧部が、フラットケーブルの先端を一方側コネクタハウジングの端子との間に挟み付ける位置に進出する。
こうして、両コネクタハウジングの嵌合に伴い、フラットケーブルの先端が端子側に押し付けられることで、フラットケーブルと端子とが接触させられるので、フラットケーブルと端子との接続操作と、コネクタハウジングの嵌合操作とが一度で済み、組み付け操作性が良好となる。
【０００９】
請求項２の発明によれば、フラットケーブルは、ケーブル押え部によって抜止部側に押さえつけられ、ケーブル押え部と抜止め部とによって屈曲された状態となって抜止めされる。
【００１１】
【発明の実施の形態】
次に、本発明の実施形態について、図１〜図２２を参照しつつ詳細に説明する。
図１は、本発明のフラットケーブルの接続構造を具現化したフラットケーブル用コネクタ１の分解斜視図である。このフラットケーブル用コネクタ１には、図示左側の雌側コネクタハウジング２と、右側の雄側コネクタハウジング３との二つのコネクタハウジング２，３が備えられている。雌側コネクタハウジング２には、端子４が収容可能とされている。また、雄側コネクタハウジング３は、アウタ部材５とインナ部材６とからなり、フラットケーブル７を収容しつつ、雌側コネクタハウジング２と嵌合する。
【００１２】
なお、雌側コネクタハウジング２は、本発明の一方側コネクタハウジングに該当し、雄側コネクタハウジング３は、本発明の相手側コネクタハウジングに該当する。なお、本実施形態の説明において、両コネクタハウジング２，３が嵌合する面側を前面とし、図１に表示する態様により上下を示す。
【００１３】
ここで、端子４について説明すると、端子４は導電性金属材から折曲げ形成されている。端子４の下端には基部４Ａが面一に設けられており、この基部４Ａの中央部分から前上方に向かって接触片９が延設されている。接触片９と基部４Ａとの間には、端子４の前端からケーブル挿入溝８が凹設されている。また、接触片９の先端部分には、下方に接触突部９Ａが突設されている。
【００１４】
雌側コネクタハウジング２は、合成樹脂により略直方体状に形成されており、その内部には端子４が収容可能とされている。雌側コネクタハウジング２の内部には、端子４を収容可能な端子収容室１０が設けられている。この端子収容室１０は前後に開放されており、その後部は端子挿入口１０Ａとされている。また、端子収容室１０の前方は、ケーブル挿入口１０Ｂとされている。ケーブル挿入口１０Ｂは、雌側コネクタハウジング２の前端面から後方に向かってＵ字状の溝が切り込まれることで形成されている。このケーブル挿入口１０Ｂの上下幅は、端子４のケーブル挿入溝８の上下幅とほぼ同等とされている。端子４が端子収容室１０に装着されると、ケーブル挿入溝８とケーブル挿入口１０Ｂとがほぼ整合した状態となり、端子４の接触突部９Ａがケーブル挿入口１０Ｂの上端から突出する。また、雌側コネクタハウジング２の前端面１５の下端中央は、下方に突設されて係合部１６が形成されている。この係合部１６の後面側は、面取りがなされて案内面１６Ａとされている。また、雌側コネクタハウジング２の上面には、前後方向に二条の突条１２が形成されている。また、突条１２の中央やや前よりの位置には、両突条１２を連結するようにしてロック突部１３が設けられている。このロック突部１３は、雄側コネクタハウジング３のロック部１４が係合可能とされている。また、ロック突部１３の前面側には、案内面１３Ａが設けられている。
【００１５】
次に、雄側コネクタハウジング３について説明する。雄側コネクタハウジング３には、アウタ部材５とインナ部材６とが備えられている。アウタ部材５は、図３〜図６に示すように、合成樹脂により雌側コネクタハウジング２の断面よりも一回り大きな断面を備えて一体に成形されており、その後方からはインナ部材６が組み付け可能とされている。アウタ部材５は略角筒状とされており、インナ部材６を組み付け可能なインナ部材収容部１７が前後に開口して設けられている。インナ部材収容部１７の前側はアウタ部材５の前面がほぼ全開された状態として開放されて嵌合口１７Ａとされている。また、アウタ部材５の上面は、その中央から後端にかけて開放されており、これにより、インナ部材収容部１７の後側は、アウタ部材５の上面から後端面にかけて大きく開放されている。
【００１６】
また、アウタ部材５の上面前側には、ロック部１４が設けられている。ロック部１４は、アウタ部材５の上面において、左右一対の対向壁部１８の中央に一対の連結片１９を介して連結されている。ロック部１４は、両連結片１９を回動中心として、シーソー状に僅かに上下に回動可能とされている。ロック部１４の前端下方にはロック爪１４Ａが突設されており、このロック爪１４Ａは雌側コネクタハウジング２のロック突部１３に係合可能とされている。また、ロック部１４の後端上部には、押し下げ部２１が設けられている。押し下げ部２１を押圧操作することにより、ロック部１４の後方を下降させ、それによりロック部１４の前方を上昇させて、ロック爪１４Ａとロック突部１３との係合を解除させることができる。また、ロック部１４と対向壁部１８との間には、左右一対の案内溝２０が設けられている。この案内溝２０の幅は、雌側コネクタハウジング２の突条１２の幅よりも僅かに大きくされており、両コネクタハウジング２，３の嵌合操作の際には、案内溝２０に突条１２が嵌まり込む。こうして、両コネクタハウジング２，３の嵌合方向を案内し、円滑な組付操作をもたらし得る。
【００１７】
また、アウタ部材５の中央付近には、インナ部材収容部１７の内部において、左右の側壁２２を連結する押圧部２３が前後方向に長く設けられている。また、側壁２２の内側には、押圧部２３の上方からアウタ部材５の後端にかけて、一対の上部スライド溝２４が設けられている。上部スライド溝２４は、対応する位置にある側壁２２が外側に膨出され、その膨出された内側が凹設されることで形成されている。両上部スライド溝２４の上下幅は、後述するインナ部材６のスライド突部２５の高さと同等かそれよりも僅かに広くされている。また、側壁２２の内側において、後部下端には、一対の下部スライド溝２６が設けられている。下部スライド溝２６は、左右側壁２２を貫通して形成されており、押圧部２３の後端位置から、アウタ部材５の後端部分を僅かに残したところまで設けられている。また、下部スライド溝２６の後方において、側壁２２の後端縁には、案内面２６Ａが設けられている。つまり、下部スライド溝２６の後端から案内面２６Ａまでの間には、左右側壁２２がそのまま残されており、ここは後ろ止め当接部２７とされている。なお、両側壁２２の後部は、僅かに拡開方向に変形可能とされている。
【００１８】
また、雄側コネクタハウジング３の下面中央には、均等幅で前後に連続する組み付け溝２９が設けられている。この組み付け溝２９の幅は、雌側コネクタハウジング２の係合部１６の幅と同等かそれよりも僅かに大きくされている。また、組み付け溝２９は、雄側コネクタハウジング３の後部において、連結強化片３０により連結されている。
【００１９】
次に、図７〜図１１を参照しつつ、インナ部材６について説明する。インナ部材６は合成樹脂により一体に成形されており、その内部にはフラットケーブル７が組み付け可能とされている。インナ部材６の中央には、左右の側壁４０を連結するケーブル装着部３３が設けられている。このケーブル装着部３３には、フラットケーブル７が装着可能とされている。ケーブル装着部３３は、左右の壁部３４と、この壁部３４の間において、壁部３４からフラットケーブル７の厚さ分だけ凹んだ載置部３５とを備えている。載置部３５の後端やや中央よりのところには、両壁部３４と同じ高さで両壁部３４を連結する抜止部３６が設けられている。また、両壁部３４の外面側には、左右一対の係合突部３７が突設されている。
【００２０】
また、インナ部材６の前端上部には、左右の側壁４０を連結する前端梁４７が備えられている。この前端梁４７の後部には、ヒンジ部３１を介してインナ部材６に一体に連結された蓋部３２が備えられている。この蓋部３２はヒンジ部３１を回動中心として、ケーブル装着部３３の上面を開放する開放位置と、ケーブル装着部３３の上面を覆う閉止位置との間を回動可能とされている。蓋部３２の後端には、ケーブル押え部３９が設けられている。このケーブル押え部３９は、ケーブル装着部３３の最後端部において、左右両壁部３４の内側に嵌まり込むようになっている。蓋部３２が閉止位置に至ると、ケーブル押え部３９は、フラットケーブル７を載置部３５の方向に押さえつける。このケーブル押え部３９と、ケーブル装着部３３の抜止部３６とによって、フラットケーブル７は屈曲されつつ、雄側コネクタハウジング３の後端から延出されることになる（図１４を参照）。また、蓋部３２の後方において、左右両端には、互いに拡開方向に撓み変形可能な撓み係合片３８が延設されている。この撓み係合片３８の中央には、係合孔３８Ａが設けられており、蓋部３２が閉止位置に至ると、係合孔３８Ａに係合突部３７が係合可能とされている。
【００２１】
また、各側壁４０の上部には、前後方向に一対のスライド突部２５が突設されている。このスライド突部２５は、アウタ部材５の上部スライド溝２４に対応する位置に設けられており、両部材５，６が組み付けられるときには、互いに組み付いて、インナ部材６の組み付け方向を案内する。また、このスライド突部２５の後端付近における下方位置には、後ろ止め突部２８が突設されている。この後ろ止め突部２８は、アウタ部材５の下部スライド溝２６に対応するところに設けられており、両部材５，６が組み付けられると、下部スライド溝２６にスライド可能に組み付けられる。また、後ろ止め突部２８の前端には、案内面２８Ａが形成されている一方、後ろ止め突部２８の後端はインナ部材６の側壁４０から垂直とされて、当接縁２８Ｂとされている。また、左右側壁４０のスライド突部２５の下方には、前端から中央にかけて一対の押圧部組付溝４１が切り欠き形成されている。この押圧部組付溝４１には、両部材５，６が組み付けられたときに、押圧部２３が嵌まり込むようになっている。
【００２２】
また、インナ部材６の下面中央には、前止まり片４２が設けられている。インナ部材６の下壁４３の中央には、下壁４３を左右に分断する溝部４４が設けられており、この溝部４４に対して左右一対の連結片４５を介して前止まり片４２が連結されている。こうして、前止まり片４２は、両連結片４５を回動軸として、シーソーのように上下方向に僅かに回動変形可能とされている。また、前止まり片４２の前端上部には、前止め爪４２Ａが突設されている。この前止め爪４２Ａは、雌雄コネクタハウジング２，３が嵌合操作されるときには、雌側コネクタハウジング２の係合部１６に対して所定の押圧力に対抗しながら当接可能とされている。また、前止まり片４２の後端下側には、位置決め突部４２Ｂが突設されている。両部材５，６が組み付けられたときには、位置決め突部４２Ｂは、アウタ部材５の連結強化片３０（本発明の係止部に該当する）の前端縁に係合する。また、前止め爪４２Ａが係合部１６に係合するときの前止まり片４２の最大前下がり傾斜は、位置決め突部４２Ｂが連結強化片３０から外れるときの前止まり片４２の最大前下がり傾斜よりも大きくなるように設定されている。
【００２３】
なお、フラットケーブル７の先端部分は、被覆が剥ぎ取られて、内部の芯線７Ａが露出されている。また、この露出された芯線７Ａを保護するために、フラットケーブル７の先端付近には、補強部材４６が取り付けられている。この補強部材４６の先端から中央にかけては、芯線７Ａの下側に沿いつつ延設される沿い付き縁４６Ａとされるともに、補強部材４６の中央から後端にかけては、フラットケーブル７の周囲に覆いつく組付部４６Ｂとされる。この組付部４６Ｂの前後長さは、インナ部材６においてケーブル装着部３３の抜止部３６から前端梁４７までの長さよりも僅かに短くされている。フラットケーブル７の先端がインナ部材６に組み付けられると、組付部４６Ｂはケーブル装着部３３の載置部３５に装着されるとともに、沿い付き縁４６Ａは、前端梁４７の下方からインナ部材６の前方に突出する。このとき、組付部４６Ｂの後端縁と抜止部３６の前端縁とが当接することで、フラットケーブル７の抜止めがなされている。
【００２４】
次に、雄側コネクタハウジング３の組付操作について、図１２〜図１４を参照しつつ、説明する。
【００２５】
まず、図１２に示すように、インナ部材６の蓋部３２を開放位置とした状態で、アウタ部材５のインナ部材収容部１７に押し入れる。インナ部材６の下面に設けられた前止まり片４２の位置決め突部４２Ｂの先端が、アウタ部材５の連結強化片３０の後端に当接すると、前止まり片４２が前下がり状態に回動変形し、位置決め突部４２Ｂが連結強化片３０を乗り越えると、前止まり片４２が復帰変形する。こうして、両部材５，６が後方への抜止め状態で所定の位置に組み付けられる（図１３を参照）。また、このとき、インナ部材収容部１７の内部では、押圧部２３が押圧部組付溝４１の最奥部まで、組み付けられており、押圧部２３の後端縁が押圧部組付溝４１の奥縁に当接して、インナ部材６の押し込みが規制されている。また、この組付操作中には、インナ部材６の側壁４０のスライド突部２５が、アウタ部材５の上部スライド溝２４に嵌まり込むことで、両部材５，６の組み付け方向を案内しており、組付操作が円滑に行われるようになっている。さらに、組付操作中には、側壁４０の後ろ止め突部２８が、アウタ部材５の側壁２２を僅かに撓み変形させながら後ろ止め当接部２７を乗り越えて、下部スライド溝２６に嵌まり込んでいる。
【００２６】
次に、フラットケーブル７をインナ部材６のケーブル装着部３３に組付ける。フラットケーブル７の先端を前端梁４７と押圧部２３との間隙に挿入し、補強部材４６の組付部４６Ｂを載置部３５に装着する。この状態から、インナ部材６の蓋部３２をフラットケーブル７の上方に組み付けるようにして回動させる。蓋部３２の撓み係合片３８を係合突部３７によって拡開させながら押し込むと、係合突部３７が係合孔３８Ａに嵌まり込むとともに、撓み係合片３８が復帰変形して蓋部３２とケーブル装着部３３とが抜止状態で組み付けられる。このとき、蓋部３２のケーブル押え部３９は、フラットケーブル７の補強部材４６よりも後方部分を下方に僅かに撓ませた状態としている（図１４を参照）。
【００２７】
こうして、フラットケーブル７の先端部分がインナ部材６の前端から所定の長さだけ突出した状態で、両部材５，６の組付操作が完了する。
【００２８】
次に、上記のように構成された本実施形態の作用及び効果について、図１５〜図２２を参照しつつ、詳細に説明する。
【００２９】
雄側コネクタハウジング３のアウタ部材５を保持しつつ、雄側コネクタハウジング３の嵌合口１７Ａに、雌側コネクタハウジング２を挿入するようにして、両コネクタハウジング２，３の嵌合操作を開始する（図１５を参照）。このとき、フラットケーブル７の先端の芯線７Ａは、雌側コネクタハウジング２の端子４の接触突部９Ａの下端まで延出されている。
【００３０】
こうして嵌合初期において、インナ部材６に設けられた前止まり片４２の前止め爪４２Ａが、雌側コネクタハウジング２の係合部１６に当接し、前止まり片４２が僅かに前下がり状態に回動させられる（図１６を参照）。
【００３１】
所定の位置まで両コネクタハウジング２，３が押し込まれると、前止め爪４２Ａが係合部１６に当接して前止まり片４２が傾斜した状態で、位置決め突部４２Ｂと連結強化片３０との係合が外れる状態となる。この位置では、インナ部材６の前進動作が規制され、アウタ部材５のみの前進が許容されることになる（図１７を参照）。このとき、アウタ部材５の押圧部２３がフラットケーブル７の下端に沿って前方に押し出されてくる（図１８を参照）。
【００３２】
次に、両コネクタハウジング２，３が所定の位置まで押し込まれると、インナ部材６の側壁４０に設けられた後ろ止め突部２８が、アウタ部材５の下部スライド溝２６の後端まで移動し、当接縁２８Ｂと後ろ止め当接部２７とが当接する。こうして、インナ部材６がアウタ部材５に連れだって前進するようになる（図１９を参照）。なお、このとき押圧部２３は、雌側コネクタハウジング２のケーブル挿入口１０Ｂの口縁に至っている。また、両コネクタハウジング２，３の上面においては、ロック突部１３とロック爪１４Ａとが当接するようになっている。
【００３３】
そのまま、雄側コネクタハウジング３の押し込み操作を続けると、インナ部材６の下面においては、前止め爪４２Ａと係合部１６との当接が強制的に解除され、前止まり片４２がさらに前方に傾斜して、前止め爪４２Ａが係合部１６を乗り越えるようにして前進する。また、アウタ部材５の上面においては、ロック爪１４Ａが案内面１３Ａに当接しており、ロック部１４が上方に撓み変形している（図２０を参照）。
【００３４】
さらに嵌合操作が進行すると、インナ部材６の下面において、前止め爪４２Ａが係合部１６を乗り越えており、位置決め突部４２Ｂはアウタ部材５の連結強化片３０に後方に位置する。こうして、前止まり片４２が復帰変形する（図２１を参照）。
【００３５】
最後に、アウタ部材５の上面に設けられたロック部１４のロック爪１４Ａが、雌側コネクタハウジング２のロック突部１３を乗り越え、ロック部１４が復帰変形する（図２２を参照）。こうして、フラットケーブル用コネクタ１の組付けが完了すると、押圧部２３は雌側コネクタハウジング２のケーブル挿入口１０Ｂの内部に押し込まれており、押圧部２３がフラットケーブル７の下面側を端子４の接触突部９Ａ側に押圧している。
【００３６】
このように、本実施形態によれば、フラットケーブル７の先端は、雄側コネクタハウジング３の内部に収容された状態とされている。このため、雌雄コネクタハウジング２，３の嵌合前に、フラットケーブル７の先端が変形してしまうことが防止される。
【００３７】
また、雌雄コネクタハウジング２，３の嵌合に伴い、フラットケーブル７の先端が押圧部２３によって、端子４の接触突部９Ａに押し付けられることで、フラットケーブル７と端子４とが接触させられる。このため、フラットケーブル７と端子４との接続操作と、雌雄コネクタハウジング２，３の嵌合操作とが一度で済み、組み付け操作性が良好となる。
【００３８】
本発明は前記実施形態に限定されるものではなく、例えば次に記載するようなものも本発明の技術的範囲に含まれる。
（１）本実施形態においては、雌側コネクタハウジングに端子を装着し、雄側コネクタハウジングにフラットケーブルを装着したが、本発明によれば、これを逆にして、雌側コネクタハウジングにフラットケーブルを装着し、雄側コネクタハウジングに端子を設けてもよい。
（２）本実施形態では、フラットケーブルは押圧部によって押し上げられる構成としたが、本発明では、上下の方向は問わない。つまり、フラットケーブルの表側を下方向にしてもよい。
【図面の簡単な説明】
【図１】本実施形態のフラットケーブル用コネクタの分解斜視図
【図２】雌側コネクタハウジングの分解側断面図
【図３】アウタ部材の正面図
【図４】アウタ部材の背面図
【図５】アウタ部材の平面図
【図６】アウタ部材の側断面図
【図７】開放位置にあるインナ部材の正面図
【図８】開放位置にあるインナ部材の側断面図
【図９】開放位置にあるインナ部材の背面図
【図１０】開放位置にあるインナ部材の裏面図
【図１１】開放位置にあるインナ部材の平面図
【図１２】インナ部材とアウタ部材との組み付け前の側断面図
【図１３】インナ部材とアウタ部材とを組み付け、フラットケーブルを取り付ける前の側断面図
【図１４】雄側コネクタハウジングの側断面図
【図１５】両コネクタハウジングの嵌合の様子を示す側断面図（１）
【図１６】両コネクタハウジングの嵌合の様子を示す側断面図（２）
【図１７】両コネクタハウジングの嵌合の様子を示す側断面図（３）
【図１８】両コネクタハウジングの嵌合の様子を示す側断面図（４）
【図１９】両コネクタハウジングの嵌合の様子を示す側断面図（５）
【図２０】両コネクタハウジングの嵌合の様子を示す側断面図（６）
【図２１】両コネクタハウジングの嵌合の様子を示す側断面図（７）
【図２２】両コネクタハウジングの嵌合の様子を示す側断面図（８）
【図２３】従来例におけるフラットケーブル用コネクタの嵌合前の斜視図
【図２４】従来例におけるフラットケーブル用コネクタの嵌合中の斜視図
【図２５】従来例におけるフラットケーブル用コネクタの嵌合後の斜視図
【図２６】従来例におけるフラットケーブル用コネクタの嵌合前の側断面図
【図２７】従来例におけるフラットケーブル用コネクタの嵌合中の側断面図
【図２８】従来例におけるフラットケーブル用コネクタの嵌合後の側断面図
【符号の説明】
２…雌側コネクタハウジング（一方側コネクタハウジング）
３…雄側コネクタハウジング（相手側コネクタハウジング）
４…端子
５…アウタ部材
６…インナ部材
７…フラットケーブル
１４…ロック部
２３…押圧部
２７…後ろ止め当接部（後ろ止まり手段）
２８…後ろ止め突部（後ろ止まり手段）
４２…前止まり片
【図１】
0003954207.tif 000002
【図２】
0003954207.tif 000003
【図３】
0003954207.tif 000004
【図４】
0003954207.tif 000005
【図５】
0003954207.tif 000006
【図６】
0003954207.tif 000007
【図７】
0003954207.tif 000008
【図８】
0003954207.tif 000009
【図９】
0003954207.tif 000010
【図１０】
0003954207.tif 000011
【図１１】
0003954207.tif 000012
【図１２】
0003954207.tif 000013
【図１３】
0003954207.tif 000014
【図１４】
0003954207.tif 000015
【図１５】
0003954207.tif 000016
【図１６】
0003954207.tif 000017
【図１７】
0003954207.tif 000018
【図１８】
0003954207.tif 000019
【図１９】
0003954207.tif 000020
【図２０】
0003954207.tif 000021
【図２１】
0003954207.tif 000022
【図２２】
0003954207.tif 000023
【図２３】
0003954207.tif 000024
【図２４】
0003954207.tif 000025
【図２５】
0003954207.tif 000026
【図２６】
0003954207.tif 000027
【図２７】
0003954207.tif 000028
【図２８】
0003954207.tif 000029